(57)【要約】【課題】きしみや異音の発生を抑制可能な便器装置を提供することである。【解決手段】便器装置１の上部を形成するリム部材２と、水溜部７を構成するボウル部材３と、便器装置１の側面を構成するスカート部材５とを有し、スカート部材５の上部にリム部材２が接合され、リム部材２の下部にボウル部材３が接合されて成る便器装置１において、ボウル部材３の水溜部７と一体の支持部材４、またはボウル部材３の水溜部７とは別体の支持部材４を有し、支持部材４によってボウル部材３の水溜部７が床面に対して支持される。【選択図】図１
2011069075.tif 000002
【特許請求の範囲】
【請求項１】
便器本体の上部を形成するリム部材と、水溜部を構成するボウル部材と、便器本体の側面を構成するスカート部材とを有し、前記スカート部材の上部に前記リム部材が接合され、前記リム部材の下部に前記ボウル部材が接合されて成る便器装置において、前記ボウル部材の水溜部と一体の支持部材、またはボウル部材の水溜部とは別体の支持部材を有し、前記支持部材によってボウル部材の水溜部が床面に対して支持されることを特徴とする便器装置。
【請求項２】
家屋の床部に設置される便器台を有し、便器本体は、前記便器台の上に設置されていてスカート部材の下端部及び前記支持部材の下端部が便器台の表面に保持されることを特徴とする請求項１に記載の便器装置。
【発明の詳細な説明】
【技術分野】
【０００１】
本発明は、便器装置に関し、さらに詳細には、使用時におけるきしみや異音の発生が抑制された便器装置に関する。
【背景技術】
【０００２】
樹脂製の便器装置は、従来の陶器製のものと比べ軽くて丈夫であり、意匠性にも優れることから、益々その需要が高まっている。例えば、特許文献１には、樹脂製であり、分割された部品を組み合わせた便器装置が開示されている。
【先行技術文献】
【特許文献】
【０００３】
【特許文献１】特開２００６−３２８８２７号公報
【発明の概要】
【発明が解決しようとする課題】
【０００４】
特許文献１に開示された便器装置の構造は、図５（ａ）、（ｂ）に示すとおりであり、便座８５と、リム部材８６と、ボウル部材８７と、リブ９０を有したスカート部材８８とが一体化されて、便器装置８０が構成されている。便座８５を除いた便器装置８０の断面構造は、図６に示すとおりであり、リム部材８６とボウル部材８７とが一部の面同士で溶着され、溶着されたリム部材８６とボウル部材８７とがスカート部材８８とリブ９０で支持されている。つまり、ボウル部材８７はスカート部材８８（リブ９０を含む）に吊られた状態であり、ボウル部材８７に排水等が流れて荷重が加わると、ボウル部材８７が上下左右に揺れることがあった。このため、便器装置８０がきしみ、異音が生じることがあった。
【０００５】
そこで、本発明は、きしみや異音の発生を高度に抑制可能な便器装置の提供を目的とする。
【課題を解決するための手段】
【０００６】
上記課題を解決するための請求項１に記載の発明は、便器本体の上部を形成するリム部材と、水溜部を構成するボウル部材と、便器本体の側面を構成するスカート部材とを有し、前記スカート部材の上部に前記リム部材が接合され、前記リム部材の下部に前記ボウル部材が接合されて成る便器装置において、前記ボウル部材の水溜部と一体の支持部材、またはボウル部材の水溜部とは別体の支持部材を有し、前記支持部材によってボウル部材の水溜部が床面に対して支持されることを特徴とする便器装置である。
【０００７】
本発明の便器装置は、ボウル部材の水溜部と一体の支持部材、またはボウル部材の水溜部とは別体の支持部材を有するものであり、前記支持部材によってボウル部材の水溜部が床面に対して支持されるものである。すなわち、ボウル部材の水溜部に対して、排水等の流動の影響を抑制することができるようにしたものである。本発明の便器装置によれば、きしみや異音の発生を高度に抑制可能である。
【０００８】
請求項２に記載の発明は、家屋の床部に設置される便器台を有し、便器本体は、前記便器台の上に設置されていてスカート部材の下端部及び前記支持部材の下端部が便器台の表面に接することを特徴とする請求項１に記載の便器装置である。
【０００９】
本発明の便器装置は、家屋の床部に設置される便器台を有するものであり、便器本体は、前記便器台の上に設置されていてスカート部材の下端部及び支持部材の下端部が便器台の表面に保持されるものである。本発明の便器装置によれば、スカート部材等に汚れた水や尿等が付着し垂れた場合であっても、便器台で受けることが可能であり、床が汚れることを防止できる。
【００１０】
また、本発明の便器装置において、スカート部材と、支持部材と、便器台とを接合することにより、より高い剛性を有する便器装置とすることができる。すなわち、この構成によれば便器装置が高い剛性を有するので、ボウル部材の水溜部に対して、より確実に排水等の流動の影響を抑制することができる。その結果、きしみや異音の発生をより確実に抑制可能となる。
【００１１】
さらに、スカート部材と、支持部材と、便器台との一体化を「溶着」等で行うことにより、スカート部材と支持部材の寸法のバラツキを補正することが可能となる。
【発明の効果】
【００１２】
本発明の便器装置によれば、ボウル部材の水溜部に対して排水等の流動の影響を抑制することができる。よって、きしみや異音の発生を高度に抑制可能である。
【図面の簡単な説明】
【００１３】
【図１】本発明の第１実施形態に係る便器装置を示す断面図である。
【図２】本発明の第２実施形態に係る便器装置を示す断面図である。
【図３】（ａ）、（ｂ）は、いずれも本発明の変形例に係る便器装置のスカート部材と便器台の接合部分を示す断面図であり、（ａ）は変形例１、（ｂ）は変形例２を示す。
【図４】（ａ）〜（ｃ）は、いずれも本発明の変形例に係る便器装置を示す断面図であり、（ａ）は変形例３、（ｂ）は変形例４、（ｃ）は変形例５を示す。
【図５】（ａ）、（ｂ）は、いずれも従来の便器装置を示すものであり、（ａ）は斜視図、（ｂ）は分解斜視図である。
【図６】図５の従来の便器装置を示す断面図である。
【発明を実施するための形態】
【００１４】
以下では、本発明の便器装置の実施形態について、図面を参照しながら詳細に説明する。なお、以下の説明は、実施形態の理解を容易にするためのものであり、これによって、本発明が制限して理解されるべきではない。
【００１５】
まず、本発明の第１実施形態に係る便器装置１の構成について説明する。図１に示す便器装置１は、樹脂成形部材を接合して一体化されたものである。便器装置１は、便器装置１の上部を構成するリム部材２と、水溜部７を構成するボウル部材３と一体の支持部材４と、便器装置１の側面を構成するスカート部材５とを有し、これらが溶着等により接合され、一体化されている。
【００１６】
上記の構成により、ボウル部材３の水溜部７は、支持部材４によって床面に対して支持される。このことにより、ボウル部材３の水溜部４に対して、排水等の流動の影響を抑制することができる。よって、便器装置１は、きしみや異音の発生を高度に抑制可能である。
【００１７】
つぎに、本発明の第２実施形態に係る便器装置１０の構成について説明する。なお、便器装置１の各構成部材と同一のものについては、説明を省略すると共に、同一の符号を使用するものとする。
【００１８】
図２に示す便器装置１０では、支持部材４の下端部と、スカート部材５の下端部と、便器台１５とが溶着等により接合され、一体化されている。
【００１９】
上記の構成により、便器装置１０は高い剛性を有することとなり、ボウル部材３の水溜部７に対して、より確実に排水等の流動の影響を抑制することができる。よって、便器装置１０は、きしみや異音の発生をより確実に抑制可能である。
【００２０】
また、便器装置１０のスカート部材５の下端部は、便器台１５の上に設置されている。スカート部材５等に汚れた水や尿等が付着し垂れた場合に、便器台１５で受けることが可能であり、床が汚れることを防止できる。
【００２１】
さらに、スカート部材５と、支持部材４と、便器台１５との一体化を「溶着」で行うことにより、スカート部材５と支持部材４の寸法のバラツキを補正することが可能である。
【００２２】
つぎに、本発明の変形例１〜５に係る便器装置２１〜２５の構成について説明する。なお、便器装置１，１０の各構成部材と同一のものについては、説明を省略すると共に、同一の符号を使用するものとする。
【００２３】
図３（ａ）に示す便器装置２１では、スカート部材５と便器台１５との接合箇所の角部分に堰３０が接合されている。このような構成とすることにより、例えばスカート部材５に汚れた水や尿等が付着し垂れた場合に、スカート部材５と便器台１５との接合箇所に汚れた水や尿等が入り込むことを防止できる。よって、便器装置２１は、衛生面で優れた便器となる。
【００２４】
図３（ｂ）に示す便器装置２２では、スカート部材５が接合される箇所の便器台１５の中に、圧電素子等で構成された着座センサー３１が埋設されている。このような構成とすることにより、利用者が便器装置２２に座った時にのみ、電気式洗浄装置（図示せず）等のスイッチングを行うことができる。また、着座センサー３１が便器台１５の中に埋設されていることにより、着座センサー３１が汚れた水等で濡れることはなく、着座センサー３１の故障リスクを軽減できる。
【００２５】
図４（ａ）に示す便器装置２３では、支持部材４の一部となるフレーム２８を有した便器台３２が用いられている。フレーム２８と便器台３２は、同一素材で一体成形されている。このような構成とすることにより、便器装置２３は、より高い剛性を有することができる。
【００２６】
図４（ｂ）に示す便器装置２４では、リム部材２と、ボウル部材３と、スカート部材５と、便器台１５とで囲まれた空洞部分に、発泡樹脂３３が充填されている。このような構成とすることにより、便器装置２４は、さらに高い剛性を有することができる。また、ボウル部材３の水溜部７に尿等が当たり発生する音を軽減することができる。
【００２７】
図４（ｃ）に示す便器装置２５では、リム部材３４によって、リム部材３４とボウル部材３との接合面が隠れており、外から容易に見ることができない。このような構成とすることにより、例えばリム部材３４及びボウル部材３の接合予定面に製造上で発生したバリ等があっても、仕上げ加工を簡略化できる。
【００２８】
上記した実施形態では、ボウル部材３と支持部材４とが一体化させた例を示したが、本発明はこれに限定されるものではない。例えば、ボウル部材３と支持部材４は別体でも構わない。
【００２９】
便器装置１等を構成する樹脂成形部材に用いる樹脂については、例えば、高強度であり撥水性に優れた有機ガラス系素材や、加工性や耐衝撃性に優れたＡＢＳ（アクリロニトリル・ブタジエン・スチレン）樹脂、高強度であり耐酸性に優れたＰＢＴ（ポリブチレン・テレフタート）樹脂等を用いることが好適である。
【符号の説明】
【００３０】
１，１０，２１，２２，２３，２４，２５    便器装置
２    リム部材
３    ボウル部材
４    支持部材
５    スカート部材
７    水溜部
【図１】
2011069075.tif 000003
【図２】
2011069075.tif 000004
【図３】
2011069075.tif 000005
【図４】
2011069075.tif 000006
【図５】
2011069075.tif 000007
【図６】
2011069075.tif 000008